(57)【特許請求の範囲】
【請求項１】
ユーザ装置の利用可能な電力によるユーザ装置の作業パラメータの設定方法であって、
ユーザ装置が現在の利用可能な電力を検出して、利用可能な電力が１レベル変化したとき、検出結果を基地局に報告するステップと、
基地局はユーザ装置からの利用可能な電力の検出結果を受信した後、前記ユーザ装置の利用可能な電力のレベルと作業パラメータ変化因子との間にマッチングを行い、前記ユーザ装置が更新する必要のある作業パラメータを確定するステップと、
前記基地局は前記ユーザ装置の更新する必要のある作業パラメータを、検出された利用可能な電力のレベルに対応する所定値に調整し、前記ユーザ装置に調整後の作業パラメータで動作させるステップと、
を含み、
前記基地局は、利用可能な電力の少ない前記ユーザ装置に対し、より多いトラッキングエリアの登録数を設定することを特徴とする方法。
【請求項２】
請求項１記載の方法において、
前記基地局は、調整した作業パラメータの所定値を前記ユーザ装置に送信し、前記ユーザ装置は、前記基地局により調整された作業パラメータに基づいて動作するステップをさらに含むことを特徴とする方法。
【請求項３】
請求項１又は２に記載の方法において、
前記ユーザ装置に給電するバッテリーの残量のバッテリー総電量に対する割合により、ユーザ装置の現在の利用可能な電力を表すことを特徴とする方法。
【請求項４】
請求項３記載の方法において、
バッテリー総電量を四つのレベルに分け、ビット「００」で利用可能な電力のバッテリー総電量に対する割合が１のこと、ビット「０１」で利用可能な電力がバッテリー総電量の３／４のこと、ビット「１０」で利用可能な電力がバッテリー総電量の１／２のこと、ビット「１１」で利用可能な電力がバッテリー総電量の１／４のことをそれぞれ表すことを特徴とする方法。
【請求項５】
請求項１又は２に記載の方法において
前記ユーザ装置に給電するバッテリーの使用可能な時間により、ユーザ装置の現在の利用可能な電力を表すことを特徴する方法。
【請求項６】
請求項５に記載の方法において
前記ユーザ装置に給電するバッテリーの使用可能な時間は、さらにユーザ装置に給電するバッテリーの利用可能な待機時間として表すことを特徴とする方法。
【請求項７】
請求項１又は２に記載の方法において
前記ユーザ装置に給電するバッテリーの残量により、ユーザ装置の現在の利用可能な電力を表すことを特徴とする方法。
【請求項８】
請求項１又は２に記載の方法において
ビット「１」により利用可能な電力が減少していることを、ビット「０」により利用可能な電力が増加していることをそれぞれ表すことを特徴とする方法。
【請求項９】
請求項８に記載の方法において、
前記ユーザ装置は、利用可能な電力が１レベル減少又は増加したときに、それぞれ前記基地局にビット「１」又はビット「０」を送信するステップをさらに含むことを特徴とする方法。
【請求項１０】
請求項９に記載の方法において、
前記基地局は、前記ユーザ装置から送られた利用可能な電力が１レベル減少又は増加したことを示す情報を受信したとき、保存した前記ユーザ装置の利用可能な電力のレベルに基づいて、前記ユーザ装置の利用可能な電力を１レベル減少又は増加することによって、前記ユーザ装置の現在の利用可能な電力のレベルを取得するステップをさらに含むことを特徴とする方法。
【請求項１１】
請求項１又は２に記載の方法において、
前記作業パラメータは、前記ユーザ装置のページング周期、測定間隔、或いはトラッキングエリアの登録数を含むことを特徴とする方法。
【請求項１２】
請求項１又は２に記載の方法において、
前記基地局は、利用可能な電力の少ない前記ユーザ装置に対し、長いページング周期及び／又は測定間隔を設定することを特徴とする方法。
【請求項１３】
請求項１又は２に記載の方法において、
前記基地局は、Ｔｐ／ｋｉに従い前記ユーザ装置の作業パラメータを設定し、
但し、Ｔｐはシステムのページング周期を表し、ｋｉ＝１−ｉ／Ｎであり、ｉは利用可能な電力のレベル、ｋｉは基地局側の利用可能な電力のレベルｉに対応するパラメータ変化因子、Ｎは利用可能な電力のレベルの総数であり、ｉ≦Ｎ且つＮは自然数であることを特徴とする方法。
【請求項１４】
請求項１３に記載の方法において、
前記作業パラメータは、前記ユーザ装置のページング周期、利用可能な電力を測定する測定間隔であることを特徴とする方法。
【請求項１５】
請求項１又は２に記載の方法において、
前記ユーザ装置は、利用可能な電力が１レベル変化したときに、利用可能な電力のレベルを示す情報を前記基地局に送信することを特徴とする方法。
【請求項１６】
請求項１又は２に記載の方法において、
各利用可能な電力のレベルｉごとに対応するパラメータ変化因子ｋｉが前記基地局側に設定されていることを特徴とする方法。
【請求項１７】
請求項１６に記載の方法において、
電力が最大のときに利用可能な電力に対応するパラメータ因子を１とすることを特徴とする方法。
【請求項１８】
請求項１１に記載の方法において、
前記基地局は、前記ユーザ装置の利用可能な電力のレベルに基づいて、当該レベルに対応するトラッキングエリアの登録数を設定するステップを更に含むことを特徴とする方法。
【請求項１９】
請求項１８に記載の方法において、
前記基地局は、Ｔｐ×ｋｉに従い前記ユーザ装置のトラッキングエリアの登録数を変更し、但し、Ｔｐがシステムのページング周期を表し、ｋｉ＝１−ｉ／Ｎであり、ｉは利用可能な電力のレベル、ｋｉは基地局側の利用可能な電力のレベルｉに対応するパラメータ変化因子、Ｎは利用可能な電力のレベルの総数であり、ｉ≦Ｎ且つＮは自然数であることを特徴とする方法。
【請求項２０】
請求項１に記載の方法において、
前記基地局は、利用可能な電力の報告が許可することを前記ユーザ装置に通知するステップを更に含むことを特徴とする方法。
【請求項２１】
ユーザ装置の利用可能な電力によるユーザ装置の作業パラメータを設定する装置において、
ユーザ装置側に配置されたものであって、
前記ユーザ装置の利用可能な電力を検出し、第一送受信ユニットを介して検出結果を基地局に送信する利用可能な電力検出ユニットと、
前記検出結果により前記ユーザ装置に対応する作業パラメータを変更することで、ユーザ装置の動作を変更するパラメータ調整ユニットと、
情報を基地局側に送信したり基地局側から受信したりする第一送受信ユニットと、
基地局側に配置されたものであって、
前記ユーザ装置からの利用可能な電力の情報を受信し、基地局側に作成された、前記ユーザ装置の利用可能な電力の情報に対応する関係に応じて、前記利用可能な電力を該当するパラメータにマッチングするユーザ電力マッチングユニットと、
前記ユーザ電力マッチングユニットのマッチング結果に基づいて、前記ユーザ装置の利用可能な電力にマッチングするパラメータを調整することによって、前記パラメータを前記利用可能な電力のレベルに対応させるパラメータ調整・指示ユニットと、
情報をユーザ装置側に送信したりユーザ装置側から受信したりする第二送受信ユニットと、を含み、
前記基地局は、利用可能な電力の少ない前記ユーザ装置に対し、より多いトラッキングエリアの登録数を設定することを特徴する装置。
【請求項２２】
請求項２１に記載の装置において、
前記利用可能な電力検出ユニットは、基地局から指定された所定間隔、或いは自分の利用可能な電力のレベルに基づき、利用可能な電力を検出する間隔を選択することを特徴する方法。
【請求項２３】
請求項２１記載の装置において、
前記パラメータは、ページング周期、測定間隔、或いは前記ユーザ装置のトラッキングエリアの登録数とすることを特徴する方法。
【発明の詳細な説明】
【技術分野】
【０００１】
本発明は、ユーザ装置の利用可能な電力に基づきユーザ装置のパラメータを設定する方法及び装置に関する。具体的に、本発明は、ユーザ装置の利用可能な電力に応じてユーザ装置のパラメータ設定を変更することによって、利用可能な電力の少ないユーザ装置が電力をさらに節約し、待機時間とサービス時間を延長する方法及び装置に関する。
【背景技術】
【０００２】
通信技術の移動性と広帯域化への発展に伴い、移動端末の省電力の問題が広く注目されている。多くの通信標準化団体は、関連標準を制定するときに省電力の問題を考慮している。特に、将来の移動通信システムのネットワーク接続は、全てＩＰ技術に基づきデータ伝送を行うことになる。しかし、ＩＰパケットの突発性と伝送チャネルのユーザ間の共有性とによって、ユーザ装置に到着するデータが連続するものではないので、如何にユーザ装置（ｕｓｅｒ  ｅｑｕｉｐｍｅｎｔ、ＵＥ）の消費電力を節約するかは、もっと重要になっている。
【０００３】
第三世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）は、移動通信分野の重要な団体として、第三世代移動通信技術（Ｔｈｅ  Ｔｈｉｒｄ  Ｇｅｎｅｒａｔｉｏｎ、３Ｇ）の標準化の進展を強く促進しており、広帯域符号分割多元接続（Ｗｉｄｅ  Ｃｏｄｅ  Ｄｉｖｉｓｉｏｎ  Ｍｕｌｔｉｐｌｅ  Ａｃｃｅｓｓ、ＷＣＤＭＡ）、高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）などを含む一連の通信システムの規格を制定した。広帯域の接続技術からの挑戦に対応し、日々成長していく新業務の要求を満足させるために、３ＧＰＰは２００４年末に３Ｇの長期的進化（Ｌｏｎｇ  Ｔｅｒｍ  Ｅｖｏｌｕｔｉｏｎ、ＬＴＥ）の技術の標準化作業を始めた。高速に移動するユーザに高い速度の接続サービスなどを提供するため、スペクトル効率を更に向上させて、セルの縁のユーザの性能を改善し、システムの遅延を低減することが望ましい。
【０００４】
移動通信システムでは、ユーザ装置と基地局の間の情報交換が両方の電力の供給に依頼する。一方、移動電話、ノートパソコン、個人データアシスタント（ＰＤＡ）などのようなバッテリー給電の移動端末は、蓄電量が限られている。また、ＵＥによってネットワークに入る時間が異なるため、利用可能な電力の残量がそれぞれ異なっている。同じネットワーク条件で、利用可能な電力が少ないＵＥは、利用可能な電力が充分のＵＥより、先に強制電源オフが実行されるため、ネットワークからサービスを受け続けることもできなくなる。しかし、ユーザの立場から考えると、ユーザは、充電可能な条件を備えるまで、その消費電力をさらに節約して待機時間を延長することが望ましい。したがって、ＵＥの利用可能な電力の残量の違いを考え、利用可能な電力が少ないＵＥに対して、電力が十分なＵＥと相違の動作を実行して、電力不足によるネットワークサービスの中断状況を改善する必要がある。
【０００５】
消費電力を減少してＵＥの待機時間とサービス時間を延長するために、３ＧＰＰ標準では、間欠受信（Ｄｉｓｃｏｎｔｉｎｕｏｕｓ  Ｒｅｃｅｐｔｉｏｎ、ＤＲＸ）モードが採用されている。ＵＥが基地局と約束した特定の時間帯にチャネルをセンシングして下り方向の業務を受けることにより、不必要なチャネルのセンシング時間を減少し、ＵＥの消費電力を低減することができる。このようなＤＲＸモードは、同様にＬＴＥに採用されており、無線資源制御のアイドル状態（ＲＲＣ＿ＩＤＬＥ）と無線資源制御の接続状態（ＲＲＣ＿ＣＯＮＮＥＣＴＥＤ）とともに利用される。例えば、ＲＲＣ＿ＩＤＬＥの状態において、ユーザは所定の周期でページングチャネル（ＰＣＨ、Ｐａｇｉｎｇ  Ｃｈａｎｎｅｌ）を間欠的にセンシングする。ネットワークは、これらの特定のページング時点のみに、該ＵＥに対する情報をブロードキャストする。ＵＥは、送信先からの自分へのページング情報を受信してから、ウェイクアップしてネットワークとの接続を準備して接続する。ＵＥは、送信先からの自分へのページング情報を受信していない場合、省電力のためにスリープ期間に入る。
【発明の概要】
【発明が解決しようとする課題】
【０００６】
このような間欠受信によって、ＵＥはチャネルセンシング時間を減少することができるので、電力を節約して、待機時間とサービス時間を延長することができる。しかし、あるＵＥへのページング情報が該当ＵＥのスリープ期間に到着した場合に、ネットワークは、次のページング時点まで待たないと、該当ＵＥにそのページング情報を送信することができないので、ページング情報の遅延を招来してしまう。したがって、間欠受信モードにおけるスリープ期間とページング情報の遅延は、互いに影響を与える二つの面であり、両者の間で折衷し合うべきである。ＵＥの利用可能な電力の残量を考え、残量が少ないＵＥに対してスリープ期間を長く設定してもよい。これによって、ページング情報の遅延がもっと長くなるが、省電力を実現したので、ＵＥの待機時間とサービス時間を延長する目的を達成することができる。
【０００７】
一方、ＵＥは、ネットワークに入り該当するサービスを利用する前に、登録の区域にその位置情報を登録する必要がある。一つのトラッキングエリア（Ｔｒａｃｋｉｎｇ  Ａｒｅａ、ＴＡ）において、ＵＥは位置登録の動作が必要なく、ローミングすることが可能である。トラッキングエリアのカバー範囲は、システムの情報量と位置登録の回数との間に折衷したものである。トラッキングエリアが大きいほど、ＵＥは位置登録することなく、大きな範囲で移動することができ、消耗電力が減少されるようになる。一方、大きなトラッキングエリアは、多くのセルから構成されているので、システムは、これらのセルのすべてにページングメッセージのような情報を当該ＵＥに送信する必要がある。つまり、当該ＵＥへのページングメッセージは、多くのセルの無線資源を占用している。したがって、残量が少ないＵＥについては、多数のトラッキングエリアへ登録させ、該ユーザがトラッキングされる範囲を拡大し、位置登録回数の増加による電力消耗を減少し、待機時間とサービス時間を延長することが考えられる。
【０００８】
本発明の目的は、ユーザ装置の利用可能な電力に基づきユーザ装置の作業パラメータを設定する方法及び装置を提供することにある。その方法及び装置は、ＵＥの利用可能な電力の変化に応じて、利用可能な電力の少ないＵＥが更に省電力とし、待機時間とサービス時間を延長するように、ＵＥに異なる作業パラメータを設定することができる。
【課題を解決するための手段】
【０００９】
本発明の一面によれば、ユーザ装置の利用可能な電力によるユーザ装置の作業パラメータの設定方法であって、ユーザ装置が現在の利用可能な電力を検出して、利用可能な電力が１レベル変化したとき、検出結果を基地局に報告するステップと、基地局はユーザ装置からの利用可能な電力の検出結果を受信した後、前記ユーザ装置の利用可能な電力のレベルと作業パラメータ変化因子との間にマッチングを行い、前記ユーザ装置が更新する必要のある作業パラメータを確定するステップと、前記基地局は前記ユーザ装置の更新する必要のある作業パラメータを、検出された利用可能な電力のレベルに対応する所定値に調整し、前記ユーザ装置に調整後の作業パラメータで動作させるステップと、
を含むことを特徴する方法を提供する。
【００１０】
本発明の他の面によれば、ユーザ装置の利用可能な電力によるユーザ装置の作業パラメータを設定する装置において、ユーザ装置側に配置されたものであって、前記ユーザ装置の利用可能な電力を検出し、第一送受信ユニットを介して検出結果を基地局に送信する利用可能な電力検出ユニットと、前記検出結果により前記ユーザ装置に対応する作業パラメータを変更することで、ユーザ装置の動作を変更するパラメータ調整ユニットと、情報を基地局側に送信したり基地局側から受信したりする第一送受信ユニットと、基地局側に配置されたものであって、前記ユーザ装置からの利用可能な電力の情報を受信し、基地局側に作成された、前記ユーザ装置の利用可能な電力の情報に対応する関係に応じて、前記利用可能な電力を該当するパラメータにマッチングするユーザ電力マッチングユニットと、前記ユーザ電力マッチングユニットのマッチング結果に基づいて、前記ユーザ装置の利用可能な電力にマッチングするパラメータを調整することによって、前記パラメータを前記利用可能な電力のレベルに対応させるパラメータ調整・指示ユニットと、情報をユーザ装置側に送信したりユーザ装置側から受信したりする第二送受信ユニットと、を含むことを特徴する装置を提供する。
【発明の効果】
【００１１】
本発明によれば、ＵＥの利用可能な電力の変化によって、ＵＥの利用可能な電力が所定のレベルまで下がったとき、スリープ期間の延長、位置登録の削減などの方式により、消費電力を更に減少することで、ＵＥの待機時間とサービス時間を延長し、電力不足による強制電源オフを回避する。
【００１２】
本発明の前記並びにその他の目的、特徴、利点は、以下に示す実施形態の説明を、以下のような添付図面と照らし合わせて読むと、より完全に明らかとなるであろう。
【図面の簡単な説明】
【００１３】
【図１】本発明の実施例によるＵＥの利用可能な電力に応じてＵＥの作業パラメータを設定する装置を示す配置図である。
【図２】本発明の実施例によるＵＥ側がＵＥの利用可能な電力に応じてＵＥの作業パラメータを設定するフローチャートである。
【図３ａ】ＵＥの利用可能な電力を指示する実例を示す図である。
【図３ｂ】ＵＥの利用可能な電力を指示する実例を示す図である。
【図４】本発明の実施例による基地局（ｅＮＢ）がＵＥの利用可能な電力に応じてＵＥの作業パラメータを設定するフローチャートである。
【図５】基地局がＵＥの利用可能な電力をパラメータ変化因子にマッチングさせる一例を示す図である。
【図６】本発明の実施例によるＵＥのページング周期を変更するるために基地局とＵＥの間で情報交換を行うフローチャートである。
【図７】本発明の実施例によるＵＥのＴＡへ登録する数を変更するために基地局とＵＥの間で情報交換を行うフローチャートである。
【発明を実施するための形態】
【００１４】
以下、図面を参照して、本発明の実施例について詳細に説明する。本発明に対する曖昧な理解を防ぐために、記述の中に本発明にとって必要でない細部と機能を省略する。
【００１５】
移動通信システムでは、移動電話、ノートパソコン、個人データアシスタント（ＰＤＡ）などのようなバッテリー給電のユーザ装置は、蓄電量が限られている。ユーザにとっては、利用可能な電力が少ないときに、通常、その消費電力を更に節約し、待機時間とサービス時間を延長することを希望している。この場合には、ページング情報の遅延を招来してしまうが、電量不足によるネットワークサービスの強制中断よりはよい。したがって、ユーザに充電の条件が見つかる時間を持たせるように、なるべくＵＥの待機時間とサービス時間を延長できる方法が必要となる。本発明は、上記目的を達成するために提案された。
【００１６】
図１は、本発明の実施例によるＵＥの利用可能な電力に応じて、ＵＥの待機時間とサービス時間が延長されるようにＵＥの作業パラメータを設定する装置を示す配置図である。この実施例によれば、図１に示すように、ネットワーク側（ｅＮＢ：基地局）にユーザ装置（ＵＥ）電力マッチングユニット１１と、パラメータ調整・指示ユニット１２と、送受信ユニット１３とが配置されており、ユーザ装置（ＵＥ）側に送受信ユニット１４と、利用可能な電力検出ユニット１５と、パラメータ調整ユニット１６とが配置されている。
【００１７】
ＵＥ側では、利用可能な電力検出ユニット１５は、当該ＵＥの利用可能な電力を検出し、検出した結果を送受信ユニット１４（第一送受信ユニットとしてもよい）を介して基地局に送信する。注意すべきなのは、利用可能な電力検出ユニット１５は、基地局により指定された所定の間隔或いは自分の電力残量のレベルに基づき、利用可能な電力の検出間隔を選択する。その代わりに、消費電力を更に減少するために、利用可能な電力検出ユニット１５は、利用可能な電力の減少に伴いその利用可能な電力の検出間隔を延長してもよい。パラメータ調整ユニット１６は、送受信ユニット１４から送られた検出結果に基づきＵＥの該当する作業パラメータを変更して、ＵＥの動作を変更する。実例として、パラメータ調整ユニット１６は、ＵＥのスリップ期間の延長、アクティブ期間の短縮、ページング周期の増加、測定間隔の増加、ＵＥの登録回数の減少などの方式で、ＵＥの消費電力をさらに減少することができる。送受信ユニット１４は、無線インターフェースを介して様々な情報を基地局側に送信する、及び・又は基地局から受信する。ここで、測定間隔は、周波数の異なるセルと無線接続技術の異なるセルに対し測定を行う間隔である。
【００１８】
基地局側では、ユーザ電力マッチングユニット１１は、ＵＥからの利用可能な電力の情報を受信し、基地局側に作成されたＵＥの利用可能な電力との対応関係に従い、当該情報を該当するパラメータにマッチングする。パラメータ調整・指示ユニット１２は、ユーザ電力マッチングユニット１１のマッチング結果、すなわち利用可能な電力とマッチングする様々なパラメータに基づき、当該ＵＥの利用可能な電力と対応のパラメータを調整し、当該パラメータを送受信ユニット１３（第二送受信ユニットとしてもよい）を介して該当ＵＥに送信する。また、基地局は、ユーザ装置の利用可能な電力に基づきパラメータを配置したり、必要な時にユーザ装置の利用可能な電力を報告するための許可情報を送信したりすることをサポートしている。送受信ユニット１３は、無線インターフェースを介して様々な情報をＵＥ側に送信する、及び／又はＵＥ側から受信する。
【００１９】
図２は本発明の実施例によるＵＥ側に行われるＵＥの利用可能な電力に応じてＵＥの作業パラメータを設定するフローチャートである。次に、図２を参考してＵＥ側の動作について述べる。ＵＥ側では、ＵＥに含まれている利用可能な電力検出ユニット１５は、該当ＵＥの現在の利用可能な電力を検出する（ステップＳ２０１）。電源からユーザ装置に給電する場合、例えば、移動電話、ノートパソコン、ＰＤＡなどのようなユーザ装置に充電している場合には、ＵＥの現在の利用可能な電力を無限大としてもよい。一方、バッテリーからユーザ装置に給電する場合には、ＵＥの現在の利用可能な電力はバッテリーの電力残量とする。実例として、バッテリーの電力残量のバッテリーの総電力に対する割合、又はバッテリー使用可能な時間によりＵＥの現在の利用可能な電力を表せばいい。但し、使用可能な時間は、待機時間で表してもよい。
【００２０】
従来の移動端末では、通常、スクリーンにバッテリー残量を表示することができる。例えば、スクリーンにおいて、バッテリー電量はまだ三分の一が利用可能であることを表示する。ＵＥが基地局に電力残量を報告するのにかけたオーバーヘッドを削減するために、ＵＥの電力にレベルをつけて、ＵＥが現在のレベルしか報告しないようにしてもよい。
【００２１】
図３ａは直接に利用可能な電力を表示する例を示している。利用可能な電力の総電力に対する割合でレベルをつけてもよい。実例として、利用可能な電力を四つのレベルに分け、利用可能な電力のバッテリー総容量に対する割合で利用可能な電力のレベルを示してもよい。例えば、利用可能な電力がバッテリー総容量に等しい場合には、利用可能な電力とバッテリー総容量の割合が１となり、このとき、２つのビットの「００」で表せばよい。利用可能な電力がバッテリー総容量の３／４の場合には、ビット「０１」で利用可能な電力がバッテリー総容量の３／４のことを表せばよい。利用可能な電力がバッテリー総容量の１／２の場合には、ビット「１０」で利用可能な電力がバッテリー総容量の１／２のことを表せばよい。利用可能な電力が総容量の１／４まで下がる場合には、ビット「１１」で利用可能な電力がバッテリー総容量の１／４のことを表せばよい。注意すべきなのは、本発明の電力レベルは四つのレベルに限定されるものではなく、具体的な利用状況や環境によって利用可能な電力にレベルをつければよい。それと共に、異なるビットで利用可能な電力のバッテリー総電量に対する割合を表してもよい。また、バッテリーの使用可能な待機時間でユーザのバッテリーの利用可能な電力を表してもよい。例えば、バッテリーの使用可能な待機時間が１時間以上の場合にレベル１とし、バッテリーの使用可能な待機時間が半時間以上且つ１時間以下の場合にレベル２とし、バッテリーの使用可能な待機時間が半時間以下の場合にレベル３とし、以降、類推する。ここで、ネットワークによってレベルつけ用の待機時間のしきい値を設定してもよい。
【００２２】
図２に戻す。ステップＳ２０２において、ＵＥは、利用可能な電力のレベルを検出した後、更に利用可能な電力が１レベル変化したかどうかを検出する。ステップＳ２０２において、利用可能な電力が１レベル変化していないと確定された場合、フローはステップＳ２０１に戻って、当該ＵＥは所定の間隔でその利用可能な電力を検出し続ける。ステップＳ２０２において利用可能な電力が１レベル変化したと確定された場合、当該ＵＥは、検出した結果、すなわち現在の利用可能な電力のレベルを、送受信ユニット１４を介して基地局に送信する（ステップＳ２０３）。続いて、ステップＳ２０４において、ＵＥが新しい検出結果を基地局に送信した後、ＵＥは、送受信ユニット１４を介して基地局から新しい検出結果に対応する新しいパラメータ配置を受信したかどうかを検出する。ここで、対応するパラメータは、新しいページング周期、あるいは多数のＴＡへの接続を許可する情報（以下、詳しく説明する）としてもよい。ステップＳ２０４において、ＵＥが基地局から新しいパラメータ設定を受信していないと判断された場合、ＵＥは自分のパラメータ設定を変更せず、ステップＳ２０１に戻って元のパラメータに基づき動作し続ける。ステップＳ２０４において、ＵＥが基地局から新しいパラメータ設定を受信したと判断された場合、ＵＥはステップＳ２０５において新たに受信したパラメータに基づいてその動作を変更する。以降、新しいパラメータ設定に従い利用可能な電力を検出し続ける。
【００２３】
ＵＥが基地局に現在の利用可能な電力の検出結果を送信するステップ２０３において、検出結果を示すためのオーバーヘッドをさらに削減するために、直接に利用可能な電力を表すことではなく、１ビットでＵＥの利用可能な電力の変化を表してもよい。図３ｂに示すように、１ビットで利用可能な電力の変化を表すことができる。ＵＥの電力がＮレベルに分けられるとすると、レベル１は利用可能な電力がバッテリーの利用可能な総電力又は電源から給電されることを表す。１レベルずつ上がると電力は一レベル下がり、レベルＮはＵＥの電力がもうすぐ切れることを表す。この場合、ＵＥの利用可能な電力が１レベルずつ下がるとき、該ビットを「１」に設定すればよい。これに対して、ＵＥの充電を行っている場合に、ＵＥの利用可能な電力がますます増えるときにビットを「０」に設定すればよく、ユーザの利用可能な電力が最大値に戻ったことを表す。逆にしても同様である。つまり、ＵＥの利用可能な電力が１レベル下げる度に、ＵＥは基地局にビット「１」の指示情報を送信するが、ＵＥの利用可能な電力を１レベル上げる度に、ＵＥは基地局にビット「０」の指示情報を送信する。このように、基地局は、ＵＥから受信した利用可能な電力変化指示情報に基づいて、基地局に保存された当該ＵＥの利用可能な電力のレベルに応じて、ＵＥの利用可能な電力を１レベル上げるまたは下げて、ＵＥの現在の利用可能な電力のレベルを判断することができる。同じように、消費電力を削減するために、ＵＥは、利用可能な電力が１レベル上げるまたは下げるときのみに、利用可能な電力が上げるまたは下げる指示を基地局に送信してもよい。
【００２４】
図４は、本発明の実施例による基地局（ｅＮＢ）がＵＥの利用可能な電力に応じてＵＥの作業パラメータを設定するフローチャートである。図４に示すように、ステップＳ４０１において、基地局は、ＵＥからの情報を受信し、ステップＳ４０２においてＵＥの利用可能な電力に関する情報を受信したかどうかを検出する。ＵＥの利用可能な電力に関する情報は、図３ａに示す利用可能な電力のレベルとしてもよく、または図３ｂに示す利用可能な電力のレベルの変化としてもよい。基地局がステップＳ４０２においてＵＥの利用可能な電力に関する情報を受信していないと判断した場合、フローはステップＳ４０１に戻り、ＵＥからの情報を受信し続ける。基地局がステップＳ４０２においてＵＥの利用可能な電力に関する情報を受信したと判断した場合、フローはステップＳ４０３に進み、ＵＥの現在の利用可能な電力に基づき、当該ＵＥの更新すべき作業パラメータを確定する。その後、ステップＳ４０４において、基地局はステップＳ４０３に確定した結果に基づき、ＵＥの作業パラメータを調整する。送受信ユニット１３を介して、新しい作業パラメータを該当ＵＥに送信する。その後、当該基地局はステップＳ４０１に戻って、ユーザ情報を受信し続ける。
【００２５】
上記のステップＳ４０３において、基地局が確定したパラメータは、ページング周期、測定間隔、或いはＴＡの登録数などを含んでもよい。パラメータの再配置を実現するために、基地局側は、受信したＵＥの利用可能な電力のレベルとパラメータ変化因子との間にマッチングを行う必要がある。図５は、基地局がＵＥの利用可能な電力とパラメータ変化因子とをマッチングする一例を示す図である。次に、図５を参考して利用可能な電力とパラメータ変化因子とのマッチング関係について記述する。
【００２６】
各利用可能な電力のレベルｉのいずれかについては、基地局側にレベルｉと対応するパラメータ変化因子ｋｉが存在する。電力が最大の利用可能な電力、つまり、利用可能な電力のレベルが１のときのパラメータ変化因子を１に設定する。現在更新するパラメータがＵＥのページング周期であれば、システムのページング周期をＴｐとしてもよい。ＵＥの利用可能な電力を考えた場合に、利用可能な電力のレベルがｉのＵＥのページング周期を、Ｔｐ／ｋｉとしてもよい。実例として、ｋｉ＝１−ｉ／Ｎ（但し、ｉ≦Ｎ、Ｎは自然数である）としてもよい。この場合に、ＵＥの利用可能な電力の減少に伴い、利用可能な電力のレベルｉが増えるようになり、パラメータ変化因子ｋｉ＝１−ｉ／Ｎは次第に大きくなっている。したがって、ＵＥのページング周期Ｔｐ／ｋｉは大きくなっている。そうすると、ＵＥのスリップ期間を延長することによって、その消費電力を更に減少する。
【００２７】
同様に、更新するパラメータが測定間隔である場合にも、上記の設定方式によって、使用可能な電力が少ないＵＥに対し長い測定間隔を設定して、ＵＥがウェイクアップして測定する回数を減少してもよい。注意すべきなのは、本発明は、上記の例に与えられた更新パラメータに限定されなく、本発明の思想に基づき、ＵＥの電力消費を減少可能な何らかのパラメータを更新すればよい。
【００２８】
例えば、更新するパラメータがＵＥのＴＡ登録数である場合、マッチングに際してパラメータ変化因子ｋｉをｉとして、ＵＥの登録可能なＴＡの数を表してもよい。例えば、ＵＥの利用可能な電力がレベルｉである場合、ｉ個のＴＡを同時に登録可能である。この場合、多数のＴＡにおいて当該ＵＥの情報をブロードキャストすることによって、ＵＥがローミング中に自分の位置情報を更新するために登録情報を頻繁に送信することを回避し、ＵＥの消費電力を低減できるようになる。このようなパラメータについては、基地局により位置情報を登録しＵＥの登録可能なＴＡの数を決定するので、基地局が更新したパラメータを再びＵＥに通知する必要はない。したがって、図４におけるステップＳ４０４を省略してもよい。基地局は、Ｔｐ×ｋｉに従い前記ユーザ装置のトラッキングエリアの登録数を変更してもよい。ここで、Ｔｐは登録するＴＡの数を表す。
【００２９】
図６は本発明の実施例によるＵＥのページング周期を変更するために基地局とＵＥとの間に情報交換を行うフローチャートである。ＬＴＥにおける情報交換を例とすると、基地局は、システム情報（Ｓｙｓｔｅｍ  Ｉｎｆｏｒｍａｔｉｏｎ）あるいはトラッキングエリアの更新（Ｔｒａｃｋｉｎｇ  Ａｒｅａ  Ｕｐｄａｔｅ）メッセージで、現在の利用可能な電力のレベルの情報を報告することをＵＥに指示してもよい。ＵＥは自分に利用可能な電力のレベルを報告させるとの指示情報を受信した後、その利用可能な電力のレベルが変化する時に、自分の利用可能な電力のレベルを報告したり（図３ａに示すように）、利用可能な電力のレベルの変化を報告したり（図３ｂに示すように）する。これらの報告情報は、測定報告に含まれて基地局に送信してもよい。基地局は、ユーザからの利用可能な電力の情報を受信した後、自分の利用可能な電力とパラメータの変化因子とのマッチング結果に基づき、当該ＵＥのために新しい作業パラメータを算出する。図６に示すように、ＵＥのためにページング周期を計算し、当該更新されたページング周期をＲＲＣ再配置（ＲＲＣ  ＲＥＣＯＮＦＩＧＵＲＡＴＩＯＮ）メッセージによってＵＥに送信する。本発明は、これに限られなく、ＵＥのために消費電力を減少可能なほかのパラメータを算出してもよい。
【００３０】
また、ＵＥのＴＡへ登録する数を変更することによってＵＥの消費電力を減少することができる。図７は本発明の実施例によるＵＥのＴＡへ登録する数を変更するために基地局とＵＥの間で情報交換を行うフローチャートである。なお、ＬＴＥにおける情報交換を例とすると、ＵＥは、利用可能な電力が変化したと検出したとき、ＴＡの更新メッセージでその利用可能な電力のレベルを基地局に報告してもよい。ＵＥは、図３ａ又は３ｂに示す方式で利用可能な電力のレベル或いは利用可能な電力の変化を基地局に報告してもよい。基地局はＵＥからの利用可能な電力の情報を受信した後、当該ＵＥの利用可能な電力のレベルに基づき、当該ＵＥはいくつのＴＡへ登録するかを判断し、そして当該ＵＥを対応するＴＡへ登録する。注意すべきなのは、ＵＥの消費電力を省くために、ＵＥは利用可能な電力が所定の閾値まで上がった或いは下がったときに、利用可能な電力のレベル或いは利用可能な電力の変化を基地局に報告してもよい。基地局は当該ＵＥの利用可能な電力のレベルに基づき、当該ＵＥはいくつのＴＡへ登録するかを判断し、そして当該ＵＥを対応するＴＡに登録する。
【００３１】
本発明は、ＵＥの利用可能な電力によりＵＥの作業パラメータを設定することによって、利用可能な電力の少ないＵＥがスリープ期間の延長、位置登録の減少などにより、消費電力を更に減少して、ユーザの、特に利用可能な電力の少ないユーザの待機時間とサービス時間が更に延長されるようにする。
【００３２】
以上、最適な実施例を合わせて本発明について説明した。当技術分野の技術者が理解すべきなのは、本発明の精神や範囲から逸脱しない限り、様々な変更や切り替えや追加を行うことが可能である。したがって、本発明の範囲は、上記の特定の実施例に限定されるものではなく、添付した請求項に限定されることを理解すべきである。
【図１】
0005374165.tif 000002
【図２】
0005374165.tif 000003
【図３ａ】
0005374165.tif 000004
【図３ｂ】
0005374165.tif 000005
【図４】
0005374165.tif 000006
【図５】
0005374165.tif 000007
【図６】
0005374165.tif 000008
【図７】
0005374165.tif 000009